(57)【要約】【課題】患者が挿入部材の挿入による不快感を覚えることなく、患者の下部腸管を洗浄するようにする。【解決手段】ハウジング９には加熱手段、濾過手段、オゾン発生器が内有され、加熱手段で２０〜３８℃の温度の洗浄水を生成し、患者の肛門に洗浄器具１０１を接触させ、濾過・加熱されたオゾンを含む所定圧の洗浄水をホース９００を介して下部腸管内に患者の収縮動作に合うように強制的に注入し、その後、洗浄器具１０１を取り去り、結腸内の糞便を体外に排出する。【選択図】　図２
2004024846.tif 000002
【特許請求の範囲】
【請求項１】
患者の下部腸管を洗浄する下部腸管の洗浄方法であって、
ａ）濾過及び加熱により２０〜３８℃の温度の洗浄水を生成するステップと、
ｂ）洗浄開口部を有する湾曲面を備えた洗浄器具を設けると共に、前記洗浄開口部が肛門と完全に合致できるように前記湾曲面を肛門に近い身体部分に適合させて前記洗浄器具を患者の肛門に接触させ、さらに、所定圧力下、患者の収縮動作に合うようにホースを介して前記洗浄水を下部腸管内に導くステップと、
ｃ）患者が腹部膨満を感じたときに前記洗浄器具を取り去り、結腸内の糞便を体外に排出するステップとを含むことを特徴とする下部腸管の洗浄方法。
【請求項２】
さらに、前記ステップｂ）及びｃ）を繰り返すステップを含んでいることを特徴とする請求項１記載の下部腸管の洗浄方法。
【請求項３】
さらに、前記ステップａ）を実行した後に前記洗浄水をオゾン化するステップａ１）を含んでいることを特徴とする請求項１又は請求項２記載の下部腸管の洗浄方法。
【請求項４】
さらに、前記ステップａ１）を実行した後に、前記患者の肛門又は外陰部に近い身体部分を洗浄するステップａ２）を含んでいることを特徴とする請求項３記載の下部腸管の洗浄方法。
【請求項５】
患者の下部腸管を洗浄するための下部腸管洗浄装置であって、
ａ）入口と出口とを有するハウジングと、
ｂ）前記ハウジング内の下部に配されると共に、該ハウジングの前記入口に接続された水入口と、流路を介して前記ハウジングの前記出口に接続された水出口と、ヒータとを有する容器とを備えた加熱手段と、
ｃ）肛門に近い身体部分に合致する湾曲面が形成された上面を有し、前記湾曲面を前記身体部分に接触させたとき、洗浄開口部が完全に前記肛門に合致する洗浄器具を備えて前記ハウジングの前記出口に接続された洗浄手段と、
ｄ）前記加熱手段及び前記洗浄手段に接続され、安全範囲での水圧を保証する圧力制御スイッチにより前記加熱手段の水温と前記洗浄手段の流量を制御する制御手段と
を備えていることを特徴とする下部腸管洗浄装置。
【請求項６】
前記加熱手段が、前記水入口に接続された圧力制御スイッチと、前記水出口に接続された温度センサとを備えていることを特徴とする請求項５記載の下部腸管洗浄装置。
【請求項７】
オゾン発生器を備えると共に、該オゾン発生器の出力は、一方向弁を介して流路に導かれることを特徴とする請求項５又は請求項６記載の下部腸管洗浄装置。
【請求項８】
オゾン発生器を備えると共に、前記制御手段は、前記オゾン発生器に接続されて該オゾン発生器の動作を制御することを特徴とする請求項５又は請求項６記載の下部腸管洗浄装置。
【請求項９】
前記オゾン発生器は、
ケーシングと、
前記ケーシング内に配設されると共に、排水管を介して前記流路に接続された気体開口部を具備したオゾン発生管と、
前記ケーシング内に配設されて前記オゾン発生管から発生するオゾンを前記流路に供給するポンプ手段とを備えていることを特徴とする請求項７又は請求項８記載の下部腸管洗浄装置。
【請求項１０】
前記ハウジングの前記入口と前記加熱手段との間に濾過手段が接続されていることを特徴とする請求項５乃至請求項９のいずれかに記載の下部腸管洗浄装置。
【請求項１１】
前記濾過手段は、濾過層、濾過用メッシュ、及び活性炭がケーシングに内有されていることを特徴とする請求項１０記載の下部腸管洗浄装置。
【請求項１２】
前記洗浄手段は、前記洗浄器具に装着されると共にホースを介して前記ハウジングの前記出口に接続された接続部材と、前記洗浄器具からの水量を制御する制御手段とを備え、前記洗浄器具の前記上面は、前記湾曲面の中央から延伸された突出部を有し、前記洗浄開口部は、前記突出部の端部に配されていることを特徴とする請求項５乃至請求項１１のいずれかに記載の下部腸管洗浄装置。
【発明の詳細な説明】
【０００１】
【発明の属する技術分野】
本発明は、医療手段及びそれを用いる方法に向けられており、特に、下部腸管を洗浄する下部腸管の洗浄方法、及び下部腸管洗浄装置に関する。
【０００２】
【従来の技術】
多くの人々、特に高齢の人々が、便秘などの便通の困難を有する。施薬や浣腸がこれらの疾患を治療するのに用いられ、症状が重い場合は浣腸が唯一の手段となる。
【０００３】
【発明が解決しようとする課題】
しかしながら、従来技術は、浣腸のための多くの手段を開示しているが、これらの手段はすべて操作時に患者の体内に挿入される挿入部材を必要としている。そのような操作が、特に痔疾の患者に対して行われる時には、患者は不快な思いをすることになるのは明白である。したがって、いかなる挿入部材を用いることなく体内に水を導入できる装置を創作することが必要である。
【０００４】
本発明の第１の目的は、上述の不都合を未然に防ぐことができ、或いは軽減することができる患者の下部腸管の新しい洗浄方法を提供することにある。
【０００５】
本発明の他の目的は、患者の下部腸管を洗浄する上記方法を使用した新しい下部腸管洗浄装置を提供することである。
【０００６】
【課題を解決するための手段】
本発明の第１の目的は、
ａ）濾過及び加熱により２０〜３８℃の温度の洗浄水を生成するステップと、
ｂ）洗浄開口部を有する湾曲面を備えた洗浄器具を設けると共に、前記洗浄開口部が肛門と完全に合致できるように前記湾曲面を肛門に近い身体部分に適合させて前記洗浄器具を患者の肛門に接触させ、さらに、所定圧力下、患者の収縮動作に合うようにホースを介して前記洗浄水を下部腸管内に導くステップと、
ｃ）患者が腹部膨満を感じたときに前記洗浄器具を取り去り、結腸内の糞便を体外に排出するステップとを含む洗浄方法を提供することによって達成される。
【０００７】
そして、本発明の１つの態様では、前記ステップｂ）及び前記ステップｃ）を繰り返すステップが提供される。
【０００８】
本発明方法の一つの態様としては、前記ステップａ）の後にオゾン発生器により前記洗浄水をオゾン化するステップａ１）が提供される。
【０００９】
本発明方法のさらに別の態様では、前記ステップａ１）の後に、前記患者の肛門又は外陰部に近い身体部分を洗浄するステップａ２）が提供される。
【００１０】
本発明の他の目的は、
ａ）入口と出口とを有するハウジングと、
ｂ）ハウジング内の下部に配されると共に、該ハウジングの前記入口に接続された水入口と、流路を介して前記ハウジングの前記出口に接続された水出口と、ヒータとを有する容器とを備えた加熱手段と、
ｃ）肛門に近い身体部分に合致する湾曲面が形成された上面を有し、前記湾曲面を前記身体部分に接触させたとき、洗浄開口部が完全に前記肛門に合致する洗浄器具を備えて前記ハウジングの前記出口に接続された洗浄手段と、
ｄ）前記加熱手段及び前記洗浄手段に接続され、安全範囲での水圧を保証する圧力制御スイッチにより前記加熱手段の水温と前記洗浄手段の流量を制御する制御手段と
を備えた下部腸管洗浄装置を提供することによって達成される。
【００１１】
本発明装置の一つの態様としては、前記加熱手段は、前記水入口に接続された圧力制御スイッチと、前記水出口に接続された温度センサとを備えている。
【００１２】
本発明装置の別の態様では、下部腸管洗浄装置がオゾン発生器を備えると共に、該オゾン発生器の出力は、一方向弁を介して前記流路に導かれている。
【００１３】
本発明装置の別の態様においては、前記制御手段は、前記オゾン発生器に接続され、該オゾン発生器の動作を制御する。
【００１４】
本発明装置の別の態様は、下部腸管洗浄装置がオゾン発生器を備えると共に前記オゾン発生器が、ケーシングと、前記ケーシングに配設されると共に排水管を介して前記流路に接続された気体開口部を具備したオゾン発生管と、前記ケーシング内に配設されて前記オゾン発生管から発生するオゾンを前記流路に供給するポンプ手段とを備えている。
【００１５】
本発明装置の別の態様では、前記ハウジングの前記入口と前記加熱手段との間に濾過手段が接続されている。
【００１６】
本発明装置の別の態様においては、前記濾過手段は、濾過層、濾過用メッシュ、及び活性炭がケーシングに内有されている。
【００１７】
本発明装置の別の態様では、前記洗浄手段は、前記洗浄器具に装着されると共にホースを介して前記ハウジングの前記出口に接続された接続部材と、前記洗浄器具からの水量を制御する制御手段とを備え、前記洗浄器具の前記上面は、前記湾曲面の中央から延伸された突出部を有し、前記洗浄開口部は、前記突出部の端部に配されている。
【００１８】
従来技術と比較して、本発明の方法及び装置は、いかなる異物の挿入もなしに体内に水を直接導入することにより、患者の身体へのいかなる刺激も回避できる。
【００１９】
本装置のオゾン発生器及び加熱手段は、患者の肛門又は外陰部を洗浄する洗浄液を提供することが可能である。本発明の装置は、誰の補助をも必要とすることなく患者自身によって簡単に操作することができる。
【００２０】
【発明の実施の形態】
本発明を図面に基づき詳細に説明する。
【００２１】
図１は本発明に係る下部腸管洗浄装置の一実施の形態を示すブロック構成図であって、該下部腸管洗浄装置は、濾過手段５、加熱手段２及び洗浄手段１を備え、濾過・加熱された洗浄手段１からの洗浄水は、洗浄操作に使用される。
【００２２】
図２は上記下部腸管洗浄装置の正面斜視図であり、図３は図２を背面側から視た背面斜視図である。
【００２３】
ハウジング９の正面には水温や操作時間のデータを示すＬＣＤディスプレイ７が配されている。符号９００は、出口１１と洗浄手段１との間の接続ホースを示し、符号８は、本洗浄装置の制御ボタンを示す。ハウジング９の入口１０は、導管１００を介して水供給源（不図示）に接続される。洗浄手段１の上面１０２には、該上面１０２の中央から延伸された筒状の突出部１０７が形成され、洗浄開口部１０３が前記突出部１０７の端部に配されている。洗浄開口部１０３の湾曲面１０５は肛門に近い身体部分の形状と一致している。電気ソケット１２はハウジング９に装着されている。
【００２４】
図４は、上記洗浄装置の内部構造図である。水は、入口１０を介して濾過手段５内に導入される。濾過手段５は、ケーシング５０１を備えている。ケーシング５０１の両端部には一対の濾過層５０３が設けられ、濾過層５０３の内方には一対の濾過用メッシュ５０２が設けられ、さらに前記濾過用メッシュ５０２間には活性炭５０４が充填されている。このようにして水が加熱手段２に入る前に水に含まれる塩化物、フッ化物その他の不純物を除去することができる。
【００２５】
濾過手段５からの濾過水は、冷水入口２０３を介して加熱手段２に導入される。冷水入口２０３の内部近傍には圧力制御スイッチ２０３１が設置されている。温度センサ２０４１は、温水出口２０４の内部近傍に設けられている。温度センサ２０４１及び圧力制御スイッチ２０３１は、制御手段６に接続されている。電熱管又は電熱線、及び従来より使用されているものは、加熱手段２内の水を加熱するヒータとして使用することができるが、本発明では石英管に被覆された電熱フィルムを使用するのが好ましい。
【００２６】
加熱された温水は、温水出口２０４から加熱手段２の外部に排出される。加熱手段２内の水温は、患者の状態や要求に応じて調節することができる。水温は一般には２０〜３８℃に調節される。
【００２７】
圧力制御スイッチ２０３１は、加熱手段２内の水が切れるのを回避するために設置される。冷水入口２０３内の水圧が、０．０２５ＭＰａより高いときに、スイッチは電源をオンにしておくことができる。温水出口２０４における水温が３８℃に達すると制御手段６ヒータをオフにする。制御パネル７は、制御手段６に接続されている。調節ボタンは温度を合わせるために制御パネル７上に設けられている。
【００２８】
磁化部材２０５は、加熱手段２の水路２０２内に設けられ、磁化された水を装置内で生成できるようになっている。これは清浄効果を高めるのに有効である。
【００２９】
さらに、本洗浄装置では、オゾン発生器３が上部（図４参照）に設けられている。オゾン発生器３は、加熱手段２からの温水と混合されたオゾンを生成する。オゾンを含む温水は、結腸中のバクテリアを殺すことができ、患者の肛門及び外陰部を洗浄するのにより好適である。オゾン発生器３は、ケーシング３０１、オゾン発生管３０２、磁石３０３１によって駆動されてオゾン発生管３０２からオゾンを押し出す気体ポンプ３０３、電磁石鋼線３０４を備えている。
【００３０】
オゾン発生器３は、図５に示すように、オゾンを供給する気体開口部３０５がケーシング３０１に付設されている。気体開口部３０５は、一方向弁４を介して加熱手段２の出口導管２００に接続されている。本実施の形態では、制御手段６がオゾン発生器３に接続されて電磁石鋼線３０４の電力を制御している。これはオゾン発生器３の動作を制御するためである。
【００３１】
制御手段６は、ハウジング９内に設置されたＰＣＢ（プリント回路基板）上に制御回路を有している。ＬＣＤディスプレイ７及びハウジング９の前部に設置された各制御ボタン８は、制御手段６の出力ポート及び入力ポートにそれぞれ接続されている。
【００３２】
図６は、制御手段６の接続状態を本発明装置の他の部分と共に示している。
【００３３】
この図６に示すように、制御手段６（制御回路）は、オゾン発生器３、加熱手段２、ＬＣＤディスプレイ７、及び温度センサ２０４１に接続されている。そして、制御手段６は、温度センサ２０４１の温度を検知し、該制御手段６に予め記憶されたプログラムによりオゾン発生器３や加熱手段２を制御し、水温や操作時間をＬＣＤディスプレイ７に表示する。
【００３４】
制御回路としては、中心回路としてマイクロプロセッサチップを用いるものや、その他当業者において公知のいかなるものであってもよい。
【００３５】
図７〜図９は、洗浄手段１の洗浄器具１０１の他の実施の形態を示している。
【００３６】
図７では、洗浄器具１０１が略円筒形状に形成されると共に、洗浄器具１０１の上部である洗浄開口部１０３の湾曲面１０５が突出部を兼ねている。洗浄器具１０１の下部には接続部材１０６が取り付けられ、該接続部材１０６は、接続ホース９００を介してハウジング９の出口１１に接続される。
【００３７】
図８は図２の洗浄器具１０１と略同様の形状を有しているが、図２の突出部１０７は筒状に突出しているのに対し、図８の突出部１０７は上面１０２を若干凹状に湾曲させた形状とされている。
【００３８】
図９は、洗浄器具１０１は上面１０２が略凹状の湾曲面を有し、該上面１０２の中央部に筒状の突出部１０７が形成され、該突出部１０７が上方に延びて洗浄開口部１０３で終端している。突出部１０７は患者の肛門に近い身体部分に十分フィットして開口部１０３を肛門に完全に対応させることができる形状に形成されている。
【００３９】
図１０は本洗浄装置の動作を説明するための図である。
【００４０】
まず、水供給源からの水が濾過手段５と加熱手段２に導入され、一定の暖かい温度の清浄な水を生成する。患者は自分の要求に応じて水温は調節することができる。患者又はその介護者は、非挿入式洗浄器具１０１を保持し、図１０（ａ）に示すように、洗浄開口部１０３を患者の肛門に接触させる。そして、水圧により濾過・加熱された清浄な水は、患者の下部腸管に注入される。患者が便意を催すと、図１０（ｂ）に示すように、洗浄器具１０１が取り去られ、下部腸管内の糞便が排出される。
【００４１】
この動作は必要に応じて繰り返し行うことができる。一般に、この動作には各１０〜２０秒を要する。全体の治療処理は水を５〜１０回注入するのに３０〜４０分を要する。２〜８ｋｌの水を結腸内に注入して糞便の蓄積を希釈し溶解する。洗浄操作中、洗浄水の流れは、肛門近くの大腸の筋肉を刺激し便通が容易に行われ得るように筋の収縮反応を高める。
【００４２】
尚、上記の実施形態及び記述は、単に本発明を説明するものであり、限定するものではない。本発明の要旨を逸脱しないいかなる変更や変形も本発明の範囲に含まれるものである。
【００４３】
【実施例】
本洗浄装置の臨床実験により、以下のことが示された。
【００４４】
すなわち、本発明者らは、各５５名の自発的な意志に基づく２組の患者について本洗浄装置で臨床実験を行った。
【００４５】
本発明の装置を用いた後では、結腸境界、脾臓近くの屈曲部分、肝臓近くの屈曲部分、回腸部の清浄度は、それぞれ、１００％、９６．４％、９０．９％及び８３．６％であった。この間、患者の８７．３％が腹部膨満を感じ、患者の２７．３％が腹部の痛みを感じ、患者の５．５％が動悸を覚えたが、全員その状態に耐えることができ、それは洗浄操作が終了した後、直ぐに消えた。
【００４６】
【発明の効果】
以上詳述したように本発明の方法及び装置によれば、濾過及び加熱により温水の洗浄水を発生させ、患者の肛門に、洗浄開口部が肛門に完全に一致できるように肛門に近い身体部分に合致した湾曲面を有する器具を接触させて、所定圧の前記洗浄水を、下部腸管内に導き、そして患者が腹部膨満を感じたときに前記器具を取り去り、結腸内の糞便を体外に排出するので、いかなる異物も挿入することなしに体内に直接水を導入して患者の下部腸管を洗浄することができ、患者に不快な思いをさせるのを防ぐことができ、或いは軽減することができる。また、本発明の装置は、誰の補助をも必要とすることなく患者自身によって簡単に操作することができる。
【図面の簡単な説明】
【図１】本発明に係る下部腸管洗浄装置の概略を示すブロック構成図である。
【図２】上記下部腸管洗浄装置の正面斜視図である。
【図３】図２を背面側から視た背面斜視図である。
【図４】上記下部腸管洗浄装置の内部構造図である。
【図５】オゾン発生器の内部構造図である。
【図６】制御手段の接続状態を他の構成要素と共に示すブロック図である。
【図７】図２に示す洗浄器具の他の実施形態を示す図である。
【図８】図２に示す洗浄器具の他の実施形態を示す図である。
【図９】図２に示す洗浄器具の他の実施形態を示す図である。
【図１０】患者の下部腸管の洗浄方法を説明するための図である。
【符号の説明】
１　洗浄手段
２　加熱手段
３　オゾン発生器
４　一方向弁
５　濾過手段
６　制御手段
９　ハウジング
１０　入口
１１　出口
１０１　洗浄器具
１０２　上面
１０３　洗浄開口部
１０５　湾曲面
１０６　接続部材
１０７　突出部
２００　出口導管（流路）
２０１　容器
２０２　ヒータ
２０３　冷水入口（水入口）
２０４　温水出口（水出口）
３０１　ケーシング
３０２　オゾン発生管
３０３　気体ポンプ（ポンプ手段）
３０５　気体開口部
５０１　ケーシング
５０２　濾過用メッシュ
５０３　濾過層
５０４　活性炭
９００　ホース
２０３１　圧力制御スイッチ
２０４１　温度センサ
【図１】
2004024846.tif 000003
【図２】
2004024846.tif 000004
【図３】
2004024846.tif 000005
【図４】
2004024846.tif 000006
【図５】
2004024846.tif 000007
【図６】
2004024846.tif 000008
【図７】
2004024846.tif 000009
【図８】
2004024846.tif 000010
【図９】
2004024846.tif 000011
【図１０】
2004024846.tif 000012